(57)【要約】【課題】不意に動いたり、傾いたりする恐れがなく、安定性及び信頼性が向上した移乗台を備えた浴室を提供すること。【解決手段】洗い場床２の奥側に設置された浴槽３と、天板２０と複数の脚部２１とを有し、浴槽に隣接し且つ２つの室壁５ａ、５ｂに囲まれたコーナー部Ｓに取り外し可能に載置される移乗台４と、室壁に固定され、洗い場床側への移乗台の水平移動を拘束すると共に、洗い場床側に傾斜する方向への移乗台の片側持ち上がりを拘束する拘束部材３０と、を備えている浴室１を提供する。【選択図】図２
2010273915.tif 000002
【特許請求の範囲】
【請求項１】
洗い場床の奥側に設置された浴槽と、
天板と複数の脚部とを有し、前記浴槽に隣接し、且つ、２つの室壁に囲まれたコーナー部に取り外し可能に載置される移乗台と、
前記室壁に固定され、前記洗い場床側への前記移乗台の水平移動を拘束すると共に、洗い場床側に傾斜する方向への移乗台の片側持ち上がりを拘束する凸状の拘束部材と、を備えていることを特徴とする浴室。
【請求項２】
請求項１に記載の浴室において、
前記拘束部材は、
前記脚部のうち前記洗い場床側の脚部の下端部手前側に位置するように固定され、該脚部を介して前記移乗台の前記水平移動を拘束する第１の拘束部材と、
前記洗い場床側とは反対側における前記天板の上方側に位置するように固定され、天板を介して前記移乗台の前記片側持ち上がりを拘束する第２の拘束部材と、を備えていることを特徴とする浴室。
【請求項３】
請求項１又は２に記載の浴室において、
前記拘束部材は、前記浴槽を挟んで対向する室壁にそれぞれ固定され、
前記移乗台は、２箇所のコーナー部のいずれにも載置可能とされていることを特徴とする浴室。
【請求項４】
請求項１から３のいずれか１項に記載の浴室において、
前記浴槽と前記室壁との間には、上面が平坦で且つ前記洗い場床の床面よりも上方に位置する床ボードが設置され、
前記移乗台は、前記床ボード上に載置されていることを特徴とする浴室。
【発明の詳細な説明】
【技術分野】
【０００１】
本発明は、浴室に関するものである。
【背景技術】
【０００２】
現在、住宅や各種施設等において、要介助者（身障者や高齢者等）を介助するための様々な設備が設置されている。その１つとして、浴槽に隣接して配置されたバスボードを備えた浴室が知られている（特許文献１参照）。
このバスボードは、天板と脚部とで構成されており、天板上に腰掛けることが可能とされている。これにより、浴槽内に入る際に、バスボードに腰掛けながら体の向きを容易に変えることができるようになっている。そのため、要介助者であっても、比較的容易に入浴を行うことが可能とされている。
【０００３】
また、特許文献１記載のバスボードは、脚部の一部が先端に球形ローラが取り付けられた移動脚とされ、残りの脚部が先端に滑り止めゴムが取り付けられた固定脚とされている。そのため、固定脚を持ち上げてバスボードを斜めにし、球形ローラの回転を可能にすることで、バスボードを容易に移動させることができるようになっている。従って、要介助者の入浴時の使用勝手に合わせてバスボードの位置を変更することが可能とされている。
【先行技術文献】
【特許文献】
【０００４】
【特許文献１】実用新案登録第２５６４３２７号公報
【発明の概要】
【発明が解決しようとする課題】
【０００５】
しかしながら、特許文献１に記載のバスボードは、単に浴室内に置かれているだけであるので、使用状況によってはバスボードが水平移動してしまい、腰掛けた際の安定性に欠けるものであった。また、片側に腰掛けてしまった場合には、反対側が持ち上がるようにバスボード自体が傾いてしまう恐れがあり、結果的に転倒に繋がる恐れもあった。
【０００６】
この発明は、このような事情を考慮してなされたもので、その目的は、不意に動いたり、傾いたりする恐れがなく、安定性及び信頼性が向上した移乗台を備えた浴室を提供することである。
【課題を解決するための手段】
【０００７】
上記の目的を達成するために、この発明は以下の手段を提供している。
請求項１に係る浴室は、洗い場床の奥側に設置された浴槽と、天板と複数の脚部とを有し、前記浴槽に隣接し、且つ、２つの室壁に囲まれたコーナー部に取り外し可能に載置される移乗台と、前記室壁に固定され、前記洗い場床側への前記移乗台の水平移動を拘束すると共に、洗い場床側に傾斜する方向への移乗台の片側持ち上がりを拘束する凸状の拘束部材と、を備えていることを特徴とする。
【０００８】
請求項２に係る浴室は、請求項１に記載の浴室において、前記拘束部材が、前記脚部のうち前記洗い場床側の脚部の下端部手前側に位置するように固定され、該脚部を介して前記移乗台の前記水平移動を拘束する第１の拘束部材と、前記洗い場床側とは反対側における前記天板の上方側に位置するように固定され、天板を介して前記移乗台の前記片側持ち上がりを拘束する第２の拘束部材と、を備えていることを特徴とする。
【０００９】
請求項３に係る浴室は、請求項１又は２に記載の浴室において、前記拘束部材が、前記浴槽を挟んで対向する室壁にそれぞれ固定され、前記移乗台が、２箇所のコーナー部のいずれにも載置可能とされていることを特徴とする。
【００１０】
請求項４に係る浴室は、請求項１から３のいずれか１項に記載の浴室において、前記浴槽と前記室壁との間には、上面が平坦で且つ前記洗い場床の床面よりも上方に位置する床ボードが設置され、前記移乗台が、前記床ボード上に載置されていることを特徴とする。
【発明の効果】
【００１１】
（１）請求項１に係る発明によれば、浴槽に隣接して移乗台が載置されているので、入浴時に移乗台の天板上に腰掛けることができ、容易に体の向き等を変えることができる。従って、入浴の手助けをすることができ、入浴時にかかる体への負担を軽減することができる。
ところで、この移乗台は、浴槽に隣接しているうえ、２つの室壁に囲まれたコーナー部に載置されている。従って、使用時には、洗い場床側に水平移動する可能性がある。しかしながら、洗い場床側に水平移動するような力が移乗台に作用したとしても、室壁に固定された拘束部材によって水平移動が拘束される。従って、洗い場床側に移乗台が不意に動いてしまうことを防止することができる。
更に、天板上に腰掛ける際に、仮に洗い場床に近い方に腰掛けたとしても、室壁に固定された拘束部材によって、移乗台が洗い場床側に傾いて、片側持ち上がりしてしまうことを防止することができる。
【００１２】
上述したように、入浴時において、移乗台が不意に水平移動したり傾いたりする恐れがないので、移乗台の安定性及び信頼性を向上することができ、安全に入浴することができる。
【００１３】
（２）請求項２に係る発明によれば、室壁に固定された第１の拘束部材が、移乗台の脚部のうち、洗い場床側の脚部の下端部手前側に位置している。そのため、洗い場床側に水平移動するような力が移乗台に作用したとしても、第１の拘束部材によって脚部の動きが規制される。従って、この第１の拘束部材によって、移乗台の水平移動を拘束することができ、洗い場床側に不意に動いてしまうことをより確実に防止することができる。
また、室壁に固定された第２の拘束部材が、洗い場床側とは反対側における天板の上方側に位置しているので、仮に洗い場床に近い方に腰掛けたとしても、天板が傾斜するような動きを規制することができる。従って、移乗台が片側持ち上がりしてしまうことをより確実に防止することができる。
【００１４】
このように、第１の拘束部材及び第２の拘束部材によって、移乗台が不意に水平移動したり傾いたりする恐れがないので、移乗台の安定性及び信頼性をより向上することができ、安全に入浴することができる。
また、移乗台を取り外す場合には、移乗台の洗い場床側を持ち上げることで、洗い場床側の脚部が第１の拘束部材を乗り越えるので、移乗台をコーナー部から引き抜くようにして容易に取り外せることができる。これに対して、移乗台をセットする場合には、上記とは逆の動作を行えば良い。このように、移乗台を容易に設置及び取り外しすることができるので、非常に使い易い。
【００１５】
（３）請求項３に係る発明によれば、拘束部材が、浴槽を挟んで対向する室壁にそれぞれ固定されているので、移乗台を２箇所のコーナー部の一方或いは両方に載置したとしても、同様に動きを拘束でき不意に水平移動したり傾いたりする恐れをなくすことができる。
【００１６】
（４）請求項４に係る発明によれば、上面が平坦な床ボード上に移乗台が載置されているので、移乗台の安定性をより向上させることができる。また、床ボードの上面は洗い場床の床面よりも上方に位置しているので、仮に浴槽の配管等が浴槽の下部に隣接して洗い場床の床面付近まで設けられていたとしても、これらの影響を受けることなく床ボードを設置することが可能である。従って、このような場合であっても、問題なく移乗台を設置することができる。
【図面の簡単な説明】
【００１７】
【図１】本発明に係る浴室の一実施形態を示す図であって、浴室内を上方から見た図である。
【図２】図１に示す浴槽及びバスボードの斜視図である。
【図３】図２に示すバスボードを浴槽側から見た側面図である。
【図４】（ａ）は図１及び図２に示す第１の拘束部材及び第２の拘束部材の正面図であり、（ｂ）は（ａ）に示す第１の拘束部材及び第２の拘束部材の断面図である。
【図５】図２に示す状態からバスボードを取り外している状態を示す図である。
【図６】図５に示す状態からバスボードを取り外した後の状態を示す図である。
【図７】図２に示す状態から浴槽を左側パネルに寄せて設置した後、浴槽の右側にバスボードをセットした状態を示す図である。
【図８】本実施形態の変形例を示す図であって、浴槽の両側にバスボードがセットされた浴室の図である。
【発明を実施するための形態】
【００１８】
以下、本発明に係る浴室の一実施形態について、図１から図８を参照して説明する。
本実施形態の浴室１は、図１及び図２に示すように、洗い場床２と、洗い場床２の奥側に設置され、長手方向（矢印Ｌ１方向）に設置位置が変更自在とされた浴槽３と、浴槽３の片側に隣接配置されたバスボード４と、これら洗い場床２、浴槽３及びバスボード４を３方から囲む側壁パネル５と、洗い場床２に出入りする出入扉６と、図示しない天井パネルと、で主に構成されている。
【００１９】
なお、図１は、浴室１内を天井パネル側から見た上面図である。図２は、図１に示す浴槽３及びバスボード４の斜視図である。また、浴室１内に通常設置される水栓やシャワー等に関しては図示を省略している。
また、これら図１及び図２に示すように、本実施形態では出入扉６を引き戸タイプとして図示しているが、この場合に限定されず折戸タイプや開き戸タイプでも構わない。
また、本実施形態では３つの側壁パネルのうち、出入扉６に対向するパネルを奥側パネル５ａといい、更に、出入扉６から奥側パネル５ａに向かって左側のパネルを左側パネル５ｂ、右側のパネルを右側パネル５ｃという。
また、単に左側というときは出入扉６から奥側パネル５ａに向かって左方向を指し、単に右側というときは出入扉６から奥側パネル５ａに向かって右方向を指すものとする。
【００２０】
洗い場床２は、平面視矩形状とされた床であり、該洗い場床２と奥側パネル５ａとの間には図示しない浴槽配置用床が設けられている。この浴槽配置用床は、平面視矩形状とされていると共に、洗い場床２の上面よりも一段低い落とし込み構造とされている。そして、この浴槽配置用床上に、図示しない防水床パンが固定されている。この防水床パンの底壁部には、上面が水平となるように調整された複数の床フラット面が形成されており、該床フラット面上に上記浴槽３が設置されている。
但し、防水床パンが浴槽配置用床上に固定されている場合に限定されるものではなく、例えば、防水床パンと洗い場床とが一体的に形成された浴室床構造であっても構わない。
【００２１】
この浴槽３は、右側パネル５ｃと左側パネル５ｂとの間の長さよりも長手方向の長さが短い平面視矩形状に形成されている。これにより、浴槽３を右側パネル５ｃ側に寄せて設置した場合には、浴槽３の左側に空間が確保され、浴槽３を左側パネル５ｂ側に寄せて設置した場合には、浴槽３の右側に空間が確保されるようになっている。
本実施形態では、右側パネル５ｃ側に寄せた状態で浴槽３が設置されている。よって、浴槽３の左側に空間が確保されている。
【００２２】
また、浴槽３のかまち３ａの外縁は、下方に向けて垂下しており、この垂下した部分にそれぞれサイドパネル１０及びフロントパネル１１が固定されている。サイドパネル１０は、右側パネル５ｃ及び左側パネル５ｂにそれぞれ対向するように取り付けられており、浴槽３の側面を覆って保護している。また、浴槽３を右側パネル５ｃ或いは左側パネル５ｂのいずれかに寄せて設置した場合であっても、浴槽３の側面が露出しないようになっている。フロントパネル１１は、洗い場床２側に対向するように取り付けられている。
【００２３】
なお、奥側パネル５ａ側において、浴槽３のかまち３ａの外縁から垂下した部分は、奥側パネル５ａに取り付けられた図示しないバックハンガーの係合爪に係合された状態となっている。これにより、浴槽３は、洗い場床２側に傾くことがないように設計されている。
【００２４】
バスボード４は、上述したように、浴槽３の左側に確保された空間、即ち、奥側パネル５ａと左側パネル５ｂとによって囲まれたコーナー部Ｓに配置されており、床ボード１５上に取り外し可能に載置されている。
【００２５】
床ボード１５は、平面視矩形状に形成されており、浴槽３に固定されたサイドパネル１０と、右側パネル５ｃと、奥側パネル５ａとにそれぞれ側面が接しながら防水床パンに嵌合するようになっている。床ボード１５の上面は、平坦に形成されているうえ、洗い場床２の床面よりも上方（数ｃｍ上方）に位置するようになっている。
この床ボード１５は、浴槽３の下部に隣接し、且つ、洗い場床２の床面付近まで設けられた配管等を覆い隠す役割を果している。特に、上述したように、床ボード１５の上面は洗い場床２の床面よりも上方に位置し、両者の間に段差が付くようになっているので、床面付近まで設けられた配管等を影響を受けることがない。
なお、このように構成された床ボード１５は、浴槽３を左側パネル５ｂ側に寄せて設置した場合には、浴槽３の右側に同様に設置することが可能とされている。
【００２６】
バスボード４は、図２及び図３に示すように、天板パネル２０と、４つの脚部２１を有し、天板パネル２０を支持する支持体２２とを備えている。なお、図３は、床ボード１５及びバスボード４を浴槽３側から見た側面図である。
天板パネル２０は、長辺が浴槽３の横幅Ｗと同じ長さの平面視矩形状に形成されており、浴槽３と、左側パネル５ｂと、奥側パネル５ａとの間にほぼ隙間なく収まるように設計されている。この際、バスボード４が床ボード１５上に載置された状態で、天板パネル２０の上面と、浴槽３のかまち３ａの上面とは、略面一になるように高さ調整されている。
【００２７】
このように構成されたバスボード４は、上述したように床ボード１５上に載置された状態で使用される。この際、バスボード４の４つの脚部２１は、バスボード４自体の安定性を増すために、互いにできるだけ間隔を開けた状態で床ボード１５上に載置されるように設計されている。よって、４つの脚部２１のうち、洗い場床２側に位置する２つの脚部２１は、バスボード４のできるだけ前端部（洗い場床２側）に近づくように設計されている。そのため、洗い場床２側にバスボード４が仮に水平移動してしまった場合には、これら２つの脚部２１が床ボード１５上から脱落する恐れがあるが、本実施形態では以下に説明するようにバスボード４の水平移動を拘束することができるので、このような脱落の恐れがない。つまり、本実施形態では、水平移動に起因してバスボード４が床ボード１５から脱落してしまうような不都合を防止する効果をも奏することができるものである。
【００２８】
そして、床ボード１５上に載置されたバスボード４は、入浴時に入浴者が腰掛けたりする等、多目的なボードとして使用される。なお、このバスボード４は、浴槽３を左側パネル５ｂ側に寄せ、浴槽３の右側に床ボード１５を設置した場合には、同様に浴槽３の右側に設置することが可能とされている。
【００２９】
ところで、左側パネル５ｂには、図１から図３に示すように、洗い場床２側へのバスボード４の水平移動を拘束すると共に、洗い場床２側に傾斜する方向へのバスボード４の片側持ち上がりを拘束する凸状の拘束部材３０が固定されている。
【００３０】
本実施形態の拘束部材３０は、第１の拘束部材３１と第２の拘束部材３２とで構成されている。第１の拘束部材３１は、バスボード４の４つの脚部２１のうち、洗い場床２側の脚部２１の下端部手前側（洗い場床２側）に位置するように固定されており、該脚部２１が洗い場床２側に水平移動してしまうことを規制している。
つまり、第１の拘束部材３１は、この脚部２１を介してバスボード４が洗い場床２側に水平移動してしまうことを拘束している。
【００３１】
第２の拘束部材３２は、洗い場床２側とは反対側（奥側パネル５ａ側）における天板パネル２０の上方側に位置するように固定されており、該天板パネル２０が洗い場床２側に傾斜してしまうことを規制している。
つまり、第２の拘束部材３２は、この天板パネル２０を介してバスボード４が洗い場床２側に傾斜する方向への片側持ち上がりを拘束している。
【００３２】
本実施形態の第１の拘束部材３１及び第２の拘束部材３２は、図４（ａ）及び図４（ｂ）に示すように、弾性材料、例えば、ＥＰＤＭゴム（エチレンプロピレンジエンゴム）等のゴムにより、外形が平面視円形状の円錐台状に形成されている。なお、図４（ａ）は、第１の拘束部材３１及び第２の拘束部材３２の正面図である。図４（ｂ）は、第１の拘束部材３１及び第２の拘束部材３２の断面図である。上面の中心には、平面視円形に刳り貫かれた凹部３３が形成されており、該凹部３３の底部の中心には下面側に貫通し、ビス３４のねじ部を挿通させる挿通孔３５が形成されている。
このように構成された第１の拘束部材３１及び第２の拘束部材３２は、ビス３４によって左側パネル５ｂに固定されている。この際、ビス３４のヘッド部及びワッシャー３６は、凹部３３内に完全に隠れ、外部に露出することがないように設計されている。
【００３３】
また、上述した第１の拘束部材３１及び第２の拘束部材３２は、図１及び図２に示すように、左側パネル５ｂだけでなく、浴槽３を挟んで左側パネル５ｂに対向する右側パネル５ｃにも同様の方法により固定されている。従って、浴槽３を左側パネル５ｂに寄せて設置し、バスボード４を浴槽３の右側にセットしたとしても、同様にバスボード４の水平移動と片側持ち上がりとを共に拘束することができるようになっている。
【００３４】
なお、第１の拘束部材３１は、浴槽３のフロントパネル１１の手前側（洗い場床２側）に位置するようになっている。そして、第２の拘束部材３２は、浴槽３のかまち３ａの上方側に位置するようになっている。そのため、第１の拘束部材３１及び第２の拘束部材３２の影響を何ら受けることなく、浴槽３を右側パネル５ｃ或いは左側パネル５ｂに寄せて設置することが可能とされている。
【００３５】
次に、このように構成された浴室１を利用する場合について、説明する。
この浴室１は、図１及び図２に示すように、浴槽３に隣接してバスボード４が載置されているので、入浴時にバスボード４の天板パネル２０上に腰掛けることができ、腰掛けながら容易に体の向きを変えることができる。従って、入浴の手助けをすることができ、入浴時にかかる体への負担を軽減することができる。
特に、バスボード４の天板パネル２０が浴槽３の横幅Ｗと同じであり、上面が浴槽３のかまち３ａの上面と面一とされている。従って、浴槽３のかまち３ａがあたかも大きくなったかのように感じさせることができるうえ、段差がないので腰掛け易い。従って、より効率良く入浴時の手助けをすることができる。
【００３６】
ところで、バスボード４は、浴槽３に隣接しているうえ、奥側パネル５ａ及び左側パネル５ｂに囲まれたコーナー部Ｓに載置されている。従って、使用時には、洗い場床２側の一方向に水平移動する可能性がある。しかしながら、左側パネル５ｂに固定された第１の拘束部材３１が、バスボード４の洗い場床２側の脚部２１の下端部手前側に位置しているので、洗い場床２側に水平移動するような力がバスボード４に作用したとしても、脚部２１の動きが規制される。
従って、バスボード４自体の水平移動（図３に示す矢印Ａ方向）を拘束することができ、洗い場床２側に不意に動いてしまうことを防止することができる。よって、バスボード４は、床ボード１５上から脱落する恐れがない。
【００３７】
また、天板パネル２０上に腰掛ける際に、仮に洗い場床２側に近い方に腰掛けたとしても、バスボード４が洗い場床２側に傾いて、片側持ち上がりしてしまうことを防止することができる。つまり、左側パネル５ｂに固定された第２の拘束部材３２が、洗い場床２側とは反対側における天板パネル２０の上方側に位置しているので、仮に洗い場床２側に近い方に腰掛けたとしても、天板パネル２０が傾斜するような動き（図３に示す矢印Ｂ方向）を規制することができる。従って、上述したように、バスボード４が片持ち上がりしてしまうことを防止することができる。
【００３８】
このように、入浴時において、バスボード４が不意に動いたり、傾いたりする恐れがないので、バスボード４の安定性及び信頼性を向上することができ、安全に入浴することができる。
また、第１の拘束部材３１及び第２の拘束部材３２は、共に平面視円形状に外形形成されているので、突起するような部分がなく、滑らかな外形形状とされている。しかも、ゴム等の弾性材料により形成されている。これらのことから、バスボード４に傷等が付き難く、また、両拘束部材３１、３２に入浴者や何らかの物が接触してしまったとしても、安全である。
【００３９】
また、この浴室１を使用するにあたって、バスボード４を取り外す場合には、図５に示すように、バスボード４の洗い場床２側を持ち上げる（矢印Ｃ方向）ことで、洗い場床２側の脚部２１が第１の拘束部材３１を乗り越えるので、バスボード４をコーナー部Ｓから引き抜くようにして容易に取り外せることができる。これに対して、バスボード４をセットする場合には、上記とは逆の動作を行えば良い。このように、バスボード４を容易に設置及び取り外しすることができるので、非常に使い易い。
また、バスボード４を取り外すことで、図６に示すように、浴槽３の左側に開いたコーナー部Ｓを自由な空間とすることができるので、該空間を入浴時の介助スペースとして利用することができる。
【００４０】
また、本実施形態の浴室１では、浴槽３の位置を変更することができる。即ち、図７に示すように、浴槽３を左側パネル５ｂ側に寄せた状態で設置し、浴槽３の右側のコーナー部Ｓ（奥側パネル５ａと右側パネル５ｃとので囲まれた空間）に床ボード１５及びバスボード４をセットすることが可能である。このように、浴槽３の設置位置を介助状況に応じて自在に変更できるので、非常に使い易い。
しかも、この場合であっても、左側パネル５ｂと同様に、右側パネル５ｃにも第１の拘束部材３１及び第２の拘束部材３２が固定されているので、同様にバスボード４の動きを拘束することができ、不意に水平移動したり傾いたりする恐れをなくすことができる。
また、浴槽３を左側パネル５ｂ側に寄せたとしても、左側パネル５ｂに固定された第１の拘束部材３１及び第２の拘束部材３２が浴槽３に干渉することがない。
【００４１】
なお、本発明の技術範囲は、上記実施形態に限定されるものではなく、本発明の趣旨を逸脱しない範囲において、種々の変更を加えることが可能である。
【００４２】
例えば、浴槽３の位置は固定されていても構わない。但し、介助状況に応じて浴槽３の位置を変更できるように構成されていることが好ましい。なお、この場合には、浴槽３を長手方向に沿ってスライド移動自在に設計することがより好ましい。
【００４３】
また、上記実施形態では、第１の拘束部材３１及び第２の拘束部材３２を共に右側パネル５ｃ及び左側パネル５ｂに固定した場合を例に挙げたが、この場合に限られず、第２の拘束部材３２を奥側パネル５ａに固定しても構わない。この場合であっても、同様の作用効果を奏することができる。
また、第１の拘束部材３１及び第２の拘束部材３２の固定方法は、ビス３４に限られるものではなく、例えば、室壁側に形成された取付孔に嵌め込んで固定する方法や、接着によって固定する方法等でも構わない。
【００４４】
また、第１の拘束部材３１及び第２の拘束部材３２を円錐台状に形成したが、円柱状や円筒状でも構わない。更には、外形が平面視楕円状に形成されていても構わない。
更に、第１の拘束部材３１をバスボード４の洗い場床２側の脚部２１の表面に接触するように固定し、第２の拘束部材３２をバスボード４の天板パネル２０の上面に接触するように固定しても構わない。
こうすることで、両拘束部材３１、３２とバスボード４との間の遊びをなくすことができ、バスボード４のがたつきをより効果的に抑えることができると共に、より確実にバスボード４の動きを拘束することができる。
【００４５】
また、上記実施形態では、床ボード１５及びバスボード４をそれぞれ１つ備えた浴室１を例に挙げて説明したが、この場合に限定されず、図８に示すように、浴槽３の両側にそれぞれ設置しても構わない。
【符号の説明】
【００４６】
Ｓ…コーナー部
１…浴室
２…洗い場床
３…浴槽
３ａ…浴槽のかまち
４…バスボード（移乗台）
５ａ…奥側パネル（室壁）
５ｂ…左側パネル（室壁）
５ｃ…右側パネル（室壁）
１５…床ボード
２０…天板パネル（天板）
２１…脚部
３０…拘束部材
３１…第１の拘束部材
３２…第２の拘束部材
【図１】
2010273915.tif 000003
【図２】
2010273915.tif 000004
【図３】
2010273915.tif 000005
【図４】
2010273915.tif 000006
【図５】
2010273915.tif 000007
【図６】
2010273915.tif 000008
【図７】
2010273915.tif 000009
【図８】
2010273915.tif 000010